(57)【特許請求の範囲】
【請求項１】
針軸と、前記針軸から延出され、フック状に曲成された複数のフック部とで構成され、前記フック部の先端部外面側にカエリが突設されている掛け鈎において、
フック部の鈎先からカエリにかけてのフック部の外側面が削り取られて、前記外側面に一対の削り取り面が形成されており、且つこの削り取り面同士の接する部分に鋭利な刃状の稜線が形成されており、カエリの反対側の先端部分の内面が断面円弧状に形成されている事を特徴とする掛け鈎。
【発明の詳細な説明】
【０００１】
【産業上の利用分野】
本発明は、例えば、ルアーフィッシングなどに使用される掛け鈎の改良に関する。
【０００２】
【従来の技術】
魚釣りと言えば、従来は釣り上げた魚を料理して食べる事が楽しみの一つと考えられていたが、爆発的な釣りブームの到来により漁場における釣り人の数に対して魚の数が相対的に減少し、釣果を楽しむためには釣った魚を傷つける事なく放流してやるというキャッチ・アンド・リリースというスポーツ的な釣り思想が特にルアーフィッシングにおいて定着して来た。
そのためには、▲１▼掛かった魚をバラさない。▲２▼魚を傷つけない。▲３▼外すときに傷を付けない。という事が重要視されてきた。
【０００３】
そこで、従来から使用されて来た掛け鈎（Ａ’）を見てみると、図４に示すように針軸（８’）から延出されたフック部（５’）の先端部内面側にカエリ（９’）が突設されており、これが後述する理由により魚を傷つけていた。
即ち、内面側にカエリ（９’）が形成されている従来の掛け鈎（Ａ’）の場合、掛け鈎（Ａ’）が魚にヒットした場合、釣竿を振るって掛け鈎（Ａ’）を強く引き、フッキングを行うことになるが、この時掛け鈎（Ａ’）はアイ方向（即ち、カエリ（９’）の突出しているフトコロ側）に強く引っ張られるために鋭い鈎先（６’）を持つカエリ（９’）が魚の口に鋭く食い込んで魚の口に切り裂き傷を形成する。
【０００４】
又、掛け鈎（Ａ’）を魚から外す場合、片手で魚を掴み、他方の手で掛け鈎（Ａ’）の針軸（８’）を摘まみ、両者を押し当ててフック部（５’）の外側のベントカーブ（即ち、曲げ曲線）に沿って手首をひねるようにして引き抜くが、フック部（５’）はベントカーブの内側に力が掛かりやすく、前述のようにベントカーブの外側に沿ってフック部（５’）を引き抜こうとしてもカエリ（９’）が魚の肉に引っ掛かり、切り裂いてしまうという欠点があった。これは前述のキャッチ・アンド・リリース思想から言えば好ましくないという問題がある。
【０００５】
その他、魚が掛かった場合、魚は掛け鈎（Ａ’）から逃れようとして暴れるが、そのときフック部（５’）にかかる力はフック部（５’）を引き伸ばす方向に掛かる事になる。カエリ（９’）はフック部（５’）の先端内側に切り起こしにより突設されているので、その基部には鋭い切り欠きがある。しかも、掛け鈎（Ａ’）は熱処理により最硬度まで高めてあるので、前記切り欠きに衝撃的な引っ張り応力が加わると折損する事がある。前記フック部（５’）にかかる力は、切り欠きを広げようとする引っ張り応力であり強度の点でもカエリ（９’）を内側に設ける事は好ましくなかった。
【０００６】
【発明が解決しようとする課題】
本発明の解決課題は、掛かった魚がバレにくく且つ魚を傷つけずしかも外しやすく折損しにくい掛け鈎の開発にある。
【０００７】
【課題を解決するための手段】
本願発明の掛け鈎(A)は『針軸(8)と、前記針軸(8)から延出され、フック状に曲成された複数のフック部(5)…とで構成され、前記フック部(5)…の先端部外面側にカエリ(9)…が突設されている掛け鈎(A)であって、
フック部(5)…の鈎先からカエリ(9)…にかけてのフック部(5)…の外側面が削り取られて、前記外側面に一対の削り取り面(13)が形成されており、且つこの削り取り面(13)同士の接する部分に鋭利な刃状の稜線(12)が形成されており、カエリ(9)…の反対側の先端部分の内面が断面円弧状に形成されている』事を特徴とする。
以上
【０００８】
これによれば、魚がヒットした瞬間に釣竿を振るって掛け鈎(A)を強く引き、魚の口にフック部(5)を突き刺した場合、掛け鈎(A)の引っ張り方向はカエリ(9)の突出していない内側方向となるので、カエリ(9)が突設されているにも拘わらずカエリ(9)による魚の口に切り裂き作用が生じない。また、カエリ(9)の存在によりフック部(5)が魚の口から抜け落ちにくく、バレが生じにくい。
又、魚が暴れてフック部(5)を引き伸ばす方向に力が加わったとしても、その力はフック部(5)の外面側においては圧縮力として作用するので、カエリ(9)の基部に鋭い切り欠きがあったとしてもカエリ(9)が折損したりフック部(5)が折損したりするような事がない。
【００１０】
さらにまた、魚がヒットし、フック部(5)が魚の口に突き立った時に、鈎先(6)の稜線(12)が一種の刃物の役割を果たし、魚の堅い口を切開する働きをなす。これにより、フック部(5)は魚の口に極めてスムーズに刺し込まれて行くことになる。ただし、この稜線(12)は掛け鈎(A)の引っ張り方向に存在しないので、掛け鈎(A)の引っ張りによって魚の口を切り裂いていくという事はない。換言すれば、稜線(12)はフック部(5)の魚の口への刺し込み効果のみを高める事になる。
【００１１】
【実施例】
以下、本発明を図示実施例に従って説明する。掛け鈎（Ａ）は３本イカリで、図２から分かるように軸（８ａ）とフック部（５）とで構成された１本の片掛けの掛け鈎素体（１ａ）と、中央に釣り糸（４）取り付け用のアイ（７）が形成され、アイ（７）から平行に伸びた軸（８Ａ）が導出され、更にフック部（５）が形成されている両掛けの掛け鈎素体（１Ａ）とで構成されており、両掛けの掛け鈎素体（１Ａ）の軸（８Ａ）に添わせて片掛けの掛け鈎素体（１ａ）の軸（８ａ）を配設し、ハンダ付けや接着などで一体化して針軸（８）を形成している。
【００１２】
フック部(5)は針軸(8)を中心に約１２０°で配設されており、各フック部(5)の先端は鋭利な鈎先(6)となっている。また、フック部(5)の先端部外面にはカエリ(9)が切り起こされている。この場合カエリ(9)は単に針抜けを防止するだけであるから、小さいもので足る。
勿論、掛け鈎(A)の構成は前記構成に限られず、３本の片掛けの掛け鈎素体(1a)の軸(8a)を束ねて１本の針軸(8)とし、ハンダ付け又は接着によって固定してもよい。この場合、いずれか１つの掛け鈎素体(1a)の軸(8a)の端部にアイ(7)が形成される事になる。
【００１３】
また、フック部（５）の鈎先（６）からカエリ（９）かけての先端部分は、例えばアイスピックのように断面円形に形成してもよいが、図３に示すようにフック部（５）の鈎先（６）からカエリ（９）かけての外側面を削り取って前記外側面に一対の削り取り面（１３）を形成し、且つこの削り取り面（１３）同士の接する部分に先鋭な刃状の稜線（１２）を構成するようにしてもよい。この場合先端部分の内面（１１）側の断面形状は円弧状である。
【００１４】
しかして、この掛け鈎（Ａ）のアイ（７）に釣り糸（４）を取り付け、更に魚種に合わせた疑似餌を取り付け、釣竿を振るってポイントへ投入する。魚が疑似餌に誘われて食いつくとすかさず釣竿を引き、掛け鈎（Ａ）を魚の引きに合わせる。これにより、フック部（５）は瞬間的に魚の口を突き通す。魚は逃れようとして暴れるが、カエリ（９）の働きによって突き通ったフック部（５）は魚の口から抜け落ちる事がない。そして、フック部（５）に加わる力は、掛け鈎（Ａ）のアイ（７）方向、即ち、カエリ（９）の突出していないフック部（５）の内側方向（即ち、フトコロ側）となるので、カエリ（９）が突き通っている部分の肉に接触して切り裂くというような事がなく、カエリ（９）によって魚を傷つける事が少ない。換言すれば、フック部（５）による刺し傷だけになる。
【００１５】
強度に付いて言えば、掛かった魚が暴れるとフック部（５）を引き伸ばす方向に力が加わるが、その力はフック部（５）の内面側では引っ張り応力として作用するものの、外面側においては圧縮力として作用するので、カエリ（９）の基部に鋭い切り欠きがあったとしてもこの部分には圧縮応力が働いて切り欠きを押し広げる方向には作用せず、従ってカエリ（９）が折損したりフック部（５）が折損したりするような事がない。
【００１６】
また、フック部（５）の先端部分の外側面を削って鋭い稜線（１２）を形成した場合、この稜線（１２）が一種の刃物の役割を果たし、堅い魚の口を切開する働きをなす。これにより、フック部（５）は魚の口に極めてスムーズに刺し込まれて行くことになる。ただし、この稜線（１２）は掛け鈎（Ａ）の引っ張り方向に存在しないので、掛け鈎（Ａ）の引っ張りによって魚体を切り裂いていくという事はなく、稜線（１２）はフック部（５）の魚体への刺し込み効果のみを高める事になる。
【００１７】
又、掛け鈎（Ａ）を外す場合、片手で魚を持ち、他方の手で針軸（８）を摘まみ、フック部（５）のベントカーブに沿って引っ張るだけで内面側に突起物がないので簡単に抜け、魚をカエリ（９）で傷付ける事がない。
【００１８】
以上の説明では、３本イカリの掛け鈎(A)の場合を説明したが、勿論これに限られず、２本又は４本以上の場合も同様である。又、掛け鈎(A)の用途としてルアーフィッシングを中心に説明したが、本発明の掛け鈎(A)は、ルアーフィッシングのみに限られず、掛け鈎(A)を使用するような場合全てに適用する事ができることは言うまでもない。
【００１９】
【発明の効果】
本発明は上記のような構造であるので、掛かった魚がバレにくく且つ魚を傷つけずしかも外しやすい。又、鋭い切り欠きが形成されるカエリの基部には引っ張り応力が加わらず、圧縮力が加わる事になり、カエリやフック部の折損を生じない。
【図面の簡単な説明】
【図１】本発明にかかる掛け鈎の１実施例の斜視図
【図２】図１の掛け鈎の分解斜視図
【図３】図１の掛け鈎のフック部の部分拡大図
【図４】従来例の斜視図
【符号の説明】
（Ａ）…掛け鈎
（５）…フック部
（８）…針軸
（９）…カエリ
【図１】
0003600281.tif 000002
【図２】
0003600281.tif 000003
【図３】
0003600281.tif 000004
【図４】
0003600281.tif 000005